(57)【特許請求の範囲】
【請求項１】
透液性表面シートと不透液性裏面シートとの間に吸収体が介在された本体部分の両側部に夫々、装着時に下着のクロッチ部分を巻き込むようにして固定されるウイング状フラップが形成された吸収性物品において、
前記本体部分の不透液性裏面シート側の面に本体ズレ止め粘着剤層が形成されるとともに、前記ウイング状フラップの不透液性裏面シート側の面にウイングズレ止め粘着剤層が形成され、
個装した製品状態において、前記本体ズレ止め粘着剤層が本体用剥離材によって覆われ、前記ウイング状フラップに形成されたズレ止め粘着剤層が幅方向に横断するウイング用剥離材によって覆われ、
前記ウイング状フラップが透液性表面シート側に前記ウイング用剥離材と共に折り畳まれるとともに、個装材が前記本体用剥離材と前記ウイング用剥離材とのいずれか一方若しくは両方と固着され、
前記透液性表面シート側において前記ウイング状フラップの先端部が重なり、該重なり部分でウイング状フラップ同士が吸収性物品の長手方向に沿って形成された線状のウイング仮止め粘着剤層によって剥離可能に接合されるとともに、このウイング仮止め粘着剤層による接合は、前後端部の内、少なくとも一方側端部でウイング同士が直接的に接合され、その他の部分は前記ウイング用剥離材を間に介して間接的に接合されているとともに、前記ウイング同士が直接的に接合された接着強度が前記ウイング用剥離材を間に介して間接的に接合された接着強度よりも大きく設定してあることを特徴とする個装吸収性物品。
【請求項２】
前記ウイング状フラップの外面は、プラスチックフィルムとされる請求項１記載の個装吸収性物品。
【請求項３】
前記ウイング状フラップ同士がウイング用剥離材を間に介して間接的に接合されている部分において、前記ウイング用剥離材がウイング状フラップの外面に剥離可能に接着されている請求項１，２いずれかに記載の個装吸収性物品。
【請求項４】
前記ウイング状フラップ同士を接合しているウイング仮止め粘着剤層の接着強度が前記ウイングズレ止め粘着剤層とウイング用剥離材との接着強度よりも低く設定されている請求項１〜３いずれかに記載の個装吸収性物品。
【請求項５】
前記ウイング用剥離材はズレ止め粘着剤に対する接合面側に剥離処理が施され、反対側の面に接合強度低減処理が施されている請求項１〜４いずれかに記載の個装吸収性物品。
【発明の詳細な説明】
【技術分野】
【０００１】
本発明は、下着への固定に際し、下着のクロッチ部分に巻き付けるようにして使用されるウイング状フラップを備えた個装吸収性物品に関する。
【背景技術】
【０００２】
従来より、生理用ナプキン、パンティライナー、おりものシート、失禁パッドなどの吸収性物品として、ポリエチレンシートまたはポリエチレンラミネート不織布などからなる不透液性裏面シートと、不織布または透孔性プラスチックシートなどからなる透液性表面シートとの間に綿状パルプなどからなる吸収体を介在させたものが知られている。
【０００３】
この種の吸収性物品としては、装着状態でのズレ止めを図るために、例えば非肌当接面側（外面）に１または複数条の粘着剤層を形成し、かつナプキン本体の長手方向両側部に、外方に延在するウイング状フラップを一体的に形成するとともに、このウイング状フラップの不透液性裏面シート側の面（外面）に粘着剤層を設けるようにしている。
【０００４】
前記吸収性物品を下着に固定する際には、吸収性物品を局所にあてがい、側方に突出する前記ウイング状フラップを下着より取り出し、両ウイング状フラップを折返し、下着のクロッチ部分を巻き込むようにしながら下着の股間部外面に接着するようにする。
【０００５】
前記吸収性物品を個装するに当たって、ワンステップ開封を実現するとともに、開封性を良好とするために、本出願人は下記特許文献１において、図１２に示されるように、ナプキン本体部分の不透液性裏面シート側の面に本体ズレ止め粘着剤層が形成されるとともに、前記ウイング状フラップＷ、Ｗの不透液性裏面シート側の面にウイングズレ止め粘着剤層５１，５１が形成され、個装した製品状態において、前記本体ズレ止め粘着剤層が本体用剥離材によって覆われ、前記ウイング状フラップＷ、Ｗに形成されたズレ止め粘着剤層５１，５１が幅方向に横断するウイング用剥離材５２によって覆われ、前記ウイング状フラップＷ、Ｗが透液性表面シート側に前記ウイング用剥離材と共に折り畳まれるとともに、個装材が前記本体用剥離材と前記ウイング用剥離材とのいずれか一方若しくは両方と固着され、前記透液性表面シート側において前記ウイング状フラップＷ、Ｗの先端部が重なるとともに、該重なり部分でウイング状フラップ同士Ｗ、Ｗがウイング仮止め粘着剤層５３によって直接的に（又は前記ウイング用剥離材５２を間に介して間接的に）剥離可能に接合され、前記ウイング状フラップＷ、Ｗ同士を接合しているウイング仮止め粘着剤層５３の接着強度が前記ウイングズレ止め粘着剤層５１，５１とウイング用剥離材５２との接着強度よりも低く設定されている吸収性物品５０を提案した。
【先行技術文献】
【特許文献】
【０００６】
【特許文献１】特開２００８−１３６５６６号公報
【発明の概要】
【発明が解決しようとする課題】
【０００７】
しかしながら、上記特許文献１に係る吸収性物品の場合でも、例えばウイング状フラップの外面をプラスチックフィルムなどの接着性の高い素材で構成した場合、ウイング状フラップＷ、Ｗ同士の接着力が高く成りすぎて開封性が悪化することがあるとともに、開封時にウイング状フラップのプラスチック外面シートが破れることがあった。一方で、接着力を低減し過ぎると、操業時に接合が解除され、ウイング状フラップにめくれが生じるなどの製品不良が発生することが多かった。
【０００８】
そこで本発明の主たる課題は、ウイング状フラップを備え、個装状態で前記ウイング状フラップが腹折りされた個装吸収性物品において、ウイング状フラップ同士の接合強度を適性にするとともに、ウイング状フラップの外面シートの破れを防止すること、更にはウイング状フラップの接合が操業中に容易に解除されないようにすることにある。
【課題を解決するための手段】
【０００９】
前記課題を解決するために請求項１に係る本発明として、透液性表面シートと不透液性裏面シートとの間に吸収体が介在された本体部分の両側部に夫々、装着時に下着のクロッチ部分を巻き込むようにして固定されるウイング状フラップが形成された吸収性物品において、
前記本体部分の不透液性裏面シート側の面に本体ズレ止め粘着剤層が形成されるとともに、前記ウイング状フラップの不透液性裏面シート側の面にウイングズレ止め粘着剤層が形成され、
個装した製品状態において、前記本体ズレ止め粘着剤層が本体用剥離材によって覆われ、前記ウイング状フラップに形成されたズレ止め粘着剤層が幅方向に横断するウイング用剥離材によって覆われ、
前記ウイング状フラップが透液性表面シート側に前記ウイング用剥離材と共に折り畳まれるとともに、個装材が前記本体用剥離材と前記ウイング用剥離材とのいずれか一方若しくは両方と固着され、
前記透液性表面シート側において前記ウイング状フラップの先端部が重なり、該重なり部分でウイング状フラップ同士が吸収性物品の長手方向に沿って形成された線状のウイング仮止め粘着剤層によって剥離可能に接合されるとともに、このウイング仮止め粘着剤層による接合は、前後端部の内、少なくとも一方側端部でウイング同士が直接的に接合され、その他の部分は前記ウイング用剥離材を間に介して間接的に接合されているとともに、前記ウイング同士が直接的に接合された接着強度が前記ウイング用剥離材を間に介して間接的に接合された接着強度よりも大きく設定してあることを特徴とする個装吸収性物品が提供される。
【００１０】
上記請求項１記載の本発明においては、個装材を剥がすと、ウイング状フラップがウイング用剥離材によって裏面シート側に引っ張られ、腹折りされたウイング状フラップが自動的に展開されるようになる。この際、ウイング仮止め粘着剤層による接合は、前後端部の内、少なくとも一方側端部でウイング同士が直接的に接合され、その他の部分は前記ウイング用剥離材を間に介して間接的に接合されている。従って、ウイング状フラップが大部分の領域で、ウイング用剥離材を間に介して間接的に接合されていることにより、開封時にウイング状フラップのプラスチック外面シートが破れることが無くなる。また、前後端部の内、少なくとも一方側端部でウイング同士が直接的に接合されていることにより、操業時にウイング状フラップのめくれを防止することが可能となる。この場合、前記一方側端部は、ライン流れ方向下流側とするのが望ましい。
【００１１】
上記ウイング状フラップ同士の接合強度に関して、前記ウイング同士が直接的に接合された接着強度が前記ウイング用剥離材を間に介して間接的に接合された接着強度よりも大きく設定している。相対的に、ウイング同士が直接的に接合された接着強度を大きくすることにより、操業時におけるウイング状フラップのめくれを確実に防止することができる。
【００１２】
前記ウイング状フラップは展開された後、使用面側へある程度の折り癖が付いているため、ウイング状フラップが本体裏面に形成されたズレ止め粘着剤層に接着するのを防止できる。また、個装材を剥離すると、ウイング用剥離材、またはウイング用剥離材と共に本体用剥離材が剥離されるため、完全なワンステップ開封方式を実現することができる。
【００１３】
請求項２に係る本発明として、前記ウイング状フラップの外面は、プラスチックフィルムとされる請求項１記載の個装吸収性物品が提供される。
【００１４】
上記請求項２記載の発明では、ウイング状フラップの外面がプラスチックフィルムである吸収性物品に本発明を適用するものである。ウイング状フラップの外面がプラスチックフィルムである場合には、ウイング状フラップ同士の接合強度が高く成り易く、これに伴う問題点が発生するため、これを防止するために本発明が好適に適用される。
【００１５】
請求項３に係る本発明として、前記ウイング状フラップ同士がウイング用剥離材を間に介して間接的に接合されている部分において、前記ウイング用剥離材がウイング状フラップの外面に剥離可能に接着されている請求項１，２いずれかに記載の個装吸収性物品が提供される。
【００１６】
上記請求項３記載の発明は、ウイング状フラップ同士を接合する際に、ウイング用剥離材にめくれが生じていると、ウイング用剥離材を間に介して間接的に接合されないことが起こるため、事前に前記ウイング用剥離材をウイング状フラップの外面に剥離可能に接着しておけば、ウイング用剥離材のめくれが防止されるため、ウイング同士をきっちりとウイング用剥離材を間に介して間接的に接合できるようになる。
【００１７】
請求項４記載の本発明として、前記ウイング状フラップ同士を接合しているウイング仮止め粘着剤層の接着強度が前記ウイングズレ止め粘着剤層とウイング用剥離材との接着強度よりも低く設定されている請求項１〜３いずれかに記載の個装吸収性物品が提供される。
【００１８】
上記請求項４記載の発明は、前記ウイング状フラップ同士を相互に接合しているウイング仮止め粘着剤層の接着強度が前記ウイングズレ止め粘着剤層とウイング用剥離材との接着強度よりも低く設定されていることにより、ウイング状フラップ同士の仮止めが容易に解除され、ウイング用剥離材を抵抗なくスムーズに展開させることが可能となる。
【００１９】
請求項５記載の本発明として、前記ウイング用剥離材はズレ止め粘着剤に対する接合面側に剥離処理が施され、反対側の面に接合強度低減処理が施されている請求項１〜４いずれかに記載の個装吸収性物品が提供される。
【００２０】
上記請求項５記載の発明は、ウイング用剥離材の反対側の面に接合強度低減処理が施されていることにより、接着強度が強く成りすぎるのを防止し開封性が良好となる。
【発明の効果】
【００２１】
以上詳説のとおり本発明によれば、ウイング状フラップを備え、個装状態で前記ウイング状フラップが腹折りされた個装吸収性物品において、ウイング状フラップ同士の接合強度を適性にするとともに、ウイング状フラップの外面シートの破れを防止することが可能となる。更には、ウイング状フラップの接合が操業中に容易に解除されないようにできる。
【図面の簡単な説明】
【００２２】
【図１】本発明に係る生理用ナプキン１の一部破断展開図である。
【図２】その裏面図である。
【図３】図１のIII−III線矢視図である。
【図４】ウイング状フラップの折り畳み要領を示す平面図である。
【図５】その横断面図（図４のV−V線矢視図）である。
【図６】個装要領を示す斜視図である。
【図７】個装状態を示す斜視図である。
【図８】開封要領を示す斜視図である。
【図９】ウイング用剥離材１２の他例を示す平面図である。
【図１０】ウイング用剥離材１２の他例を示す平面図である。
【図１１】ウイング用剥離材１２の変形例及びウイング状フラップＷ、Ｗの他の折り畳み要領を示す展開図である。
【図１２】従来のウイング状フラップＷ、Ｗの折り畳み要領を示す平面図である。
【発明を実施するための形態】
【００２３】
以下、本発明の実施の形態について図面を参照しながら詳述する。
【００２４】
図１は本発明に係る生理用ナプキン１の一部破断展開図、図２はその裏面図、図３は図１のIII−III線矢視図である。
【００２５】
前記生理用ナプキン１は、ポリエチレンシート、ポリプロピレンシートなどからなる不透液性裏面シート２と、経血やおりものなどを速やかに透過させる透液性表面シート３と、これら両シート２，３間に介在された綿状パルプまたは合成パルプなどからなる吸収体４と、この吸収体４の形状保持および拡散性向上のために前記吸収体４を囲繞するクレープ紙５と、表面両側部にそれぞれ長手方向に沿って形成されたサイド不織布６，６とから構成されている。前記吸収体４の周囲において、その上下端縁部では、前記不透液性裏面シート２と透液性表面シート３との外縁部がホットメルトなどの接着剤やヒートシール等の接着手段によって接合され、またその両側縁部では吸収体４よりも側方に延出している前記不透液性裏面シート２と前記サイド不織布６とがホットメルトなどの接着剤やヒートシール等の接着手段によって接合されている。本明細書では、この両側縁部のフラップ部分を「側部外周フラップＦＳ」という。
【００２６】
以下、さらに前記生理用ナプキン１の構造について詳述すると、
前記不透液性裏面シート２は、ポリエチレンやポリプロピレン等のオレフィン系樹脂シートなどの少なくとも遮水性を有するシート材が用いられるが、この他にポリエチレンシート等に不織布を積層したラミネート不織布や、さらには防水フィルムを介在して実質的に不透液性を確保した上で不織布シート（この場合には防水フィルムと不織布とで不透液性裏面シートを構成する。）などを用いることができる。近年はムレ防止の観点から透湿性を有するものが用いられる傾向にある。この遮水・透湿性シート材は、ポリエチレンやポリプロピレン等のオレフィン系樹脂中に無機充填剤を溶融混練してシートを成形した後、一軸または二軸方向に延伸することにより得られる微多孔性シートである。
【００２７】
次いで、前記透液性表面シート３は、有孔または無孔の不織布や多孔性プラスチックシートなどが好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。  一方、前記透液性表面シート３の上面には、排血対応部位を跨ぐ両側部にそれぞれ、略長手方向に沿うサイドエンボス７，７が形成されているとともに、前後部にそれぞれ弧状エンボス８，８が形成されている。
【００２８】
前記不透液性裏面シート２と透液性表面シート３との間に介在される吸収体４は、たとえばフラッフ状パルプと吸水性ポリマーとにより構成されている。前記吸水性ポリマーは吸収体を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。本例のように、吸収体４を囲繞するクレープ紙５を設ける場合には、結果的に透液性表面シート３と吸収体４との間にクレープ紙５が介在することになり、吸収性に優れる前記クレープ紙５によって体液を速やかに拡散させるとともに、これら経血等の逆戻りを防止するようになる。
【００２９】
一方、本生理用ナプキン１の表面がわ両側部にはそれぞれ、長手方向に沿ってかつナプキン１のほぼ全長に亘ってサイド不織布６，６が設けられ、このサイド不織布６，６の一部が側方に延在されるとともに、同じく側方に延在された不透液性裏面シート２の一部とによりウイング状フラップＷ、Ｗが形成されている。
【００３０】
前記サイド不織布６としては、重要視する機能の点から撥水処理不織布または親水処理不織布を使用することができる。たとえば、経血やおりもの等が浸透するのを防止する、あるいは肌触り感を高めるなどの機能を重視するならば、シリコン系、パラフィン系、アルキルクロミッククロリド系撥水剤などをコーティングした撥水処理不織布を用いることが望ましい。また、前記ウイング状フラップＷ、Ｗにおける経血等の吸収性を重視するならば、合成繊維の製造過程で親水基を持つ化合物、例えばポリエチレングリコールの酸化生成物などを共存させて重合させる方法や、塩化第２スズのような金属塩で処理し、表面を部分溶解し多孔性とし金属の水酸化物を沈着させる方法等により合成繊維を膨潤または多孔性とし、毛細管現象を応用して親水性を与えた親水処理不織布を用いるようにすることが望ましい。
【００３１】
図２に示されるように、前記透液性表面シート３と不透液性裏面シート２との間に吸収体４が介在された本体部分の非肌当接面には、下着に対する固定のために適宜の塗布パターンによって複数条の、図示例では３条の本体ズレ止め粘着剤層９，９…が形成されているとともに、これら本体ズレ止め粘着剤層９，９…が本体用剥離材１１によって覆われている。また、前記ウイング状フラップＷ、Ｗの不透液性裏面シート２側の面には、ウイングズレ止め粘着剤層１０、１０が形成されるとともに、これらウイングズレ止め粘着剤層１０、１０が幅方向に横断する１枚のウイング用剥離材１２によって覆われている。また、前記本体用剥離材１１とウイング用剥離材１２とは、図示例のように、鎖線１３によって囲まれた領域にてホットメルト接着剤等により剥離不能なように堅固に固着され一体化されているか、前記本体用剥離材１１及びウイング用剥離材１２の両者が後述の包装シート１６とそれぞれ固着されている。
【００３２】
前記ズレ止め粘着剤層９，１０を形成する粘着剤としては、たとえばスチレン系ポリマー、粘着付与剤、可塑剤のいずれかが主成分であるものが好適に使用される。前記スチレン系ポリマーとしては、スチレン−エチレン−ブチレン−スチレンブロック共重合体、スチレン−ブチレン−スチレンブロック共重合体、スチレン−イソブチレン−スチレン共重合体等が挙げられるが、これらのうち１種のみを使用しても、二種以上のポリマーブレンドであってもよい。この中でも熱安定性が良好であるという点で、スチレン−エチレン−ブチレン−スチレンブロック共重合体が好ましい。また、前記粘着付与剤および可塑剤としては、常温で固体のものを好ましく用いることができ、粘着付与剤ではたとえばＣ５系石油樹脂、Ｃ９系石油樹脂、ジシクロペンタジエン系石油樹脂、ロジン系石油樹脂、ポリテルペン樹脂、テルペンフェノール樹脂等が挙げられ、前記可塑剤では例えば、リン酸トリフェニル、フタル酸ジブチル、フタル酸ジオクチル等のモノマー可塑剤の他、ビニル重合体やポリエステルのようなポリマー可塑剤が挙げられる。
【００３３】
前記剥離材１１，１２としては、ズレ止め粘着剤層９，１０に対する当接面に対し、例えばシリコーン系樹脂、フッ素系樹脂、または四フッ化エチレン系樹脂などの離型処理液を塗工するかスプレー塗布し離型処理した紙またはプラスチックシートを用いることができる。この場合、少なくとも前記ウイング用剥離材１２については、個装状態から開封し個装材を剥離した際に、円滑にウイングフラップＷ、Ｗを展開できるように可撓性に富むプラスチックシートを用いるのがよい。なお、特別に離型処理をしなくても、実質的に粘着力の低下を招かないものであれば、フィルムそのものであっても、不織布そのものであっても良い。
【００３４】
前述した生理用ナプキン１を個装するには、図４に示されるように、一方のウイング状フラップＷを吸収体４側縁の外側近傍位置に設定された折り畳み線ＲＬで、側部外周フラップＦＳを含めてウイング用剥離材１２と共に透液性表面シート３側に折り畳んだ後、他方のウイング状フラップＷを吸収体４側縁の外側近傍位置に設定された折り畳み線ＲＬで、側部外周フラップＦＳを含めてウイング用剥離材１２と共に透液性表面シート３側に折り畳むようにする。
【００３５】
この場合、前記ウイング状フラップＷ、Ｗを透液性表面シート３側に単に折り畳んだだけでは、形状が安定せず前記ウイング状フラップＷ、Ｗが浮き上がったり、バタツキが生じ、ライン搬送時に位置ズレや絡みなどの原因となることがある。そこで、操業を安定化するために、前記ウイング状フラップＷが透液性表面シート３側に前記ウイング用剥離材１２と共に折り畳まれた状態を保持するようにする。具体的には、前記透液性表面シート３側に折り畳まれた前記ウイング状フラップＷ、Ｗの先端部同士が重なるようにするとともに、該重なり部分でウイング状フラップＷ、Ｗ同士がナプキン１の長手方向に沿って形成された線状のウイング仮止め粘着剤層１４によって剥離可能に接合されるようになっている。
【００３６】
このウイング仮止め粘着剤層１４は、図４に示されるように、前後端部の内、少なくとも一方側端部でウイングＷ、Ｗ同士が直接的に接合され（Ａ１領域）、その他の部分（Ａ２領域）は前記ウイング用剥離材１２を間に介して間接的に接合されている。この場合、前記ウイング状フラップＷ、Ｗ同士の接合強度は、前記ウイングＷ、Ｗ同士が直接的に接合された領域Ａ１の接着強度（単位面積当たり）が前記ウイング用剥離材１２を間に介して間接的に接合された領域Ａ２の接着強度（単位面積当たり）よりも大きく設定してあることが望ましい。これによって、操業時におけるウイング状フラップＷ、Ｗのめくれを確実に防止することができる。なお、前記ウイング状フラップＷ、Ｗの重なり代Ｓは、より操業を安定化するために、ウイング状フラップＷの突出長ＳＫの約１／４以上とするのが望ましい。
【００３７】
また、前記ウイング用剥離材１２を間に介して間接的に接合された領域Ａ２が確実に形成されるようにするためには、図２に示されるように、前記ウイング状フラップＷ、Ｗ同士がウイング用剥離材１２を間に介して間接的に接合される部分において、前記ウイング用剥離材１２がめくれ防止用粘着剤１５によってウイング状フラップＷの外面に剥離可能に接着されていることが望ましい。事前に前記ウイング用剥離材１２をウイング状フラップＷの外面に剥離可能に接着しておけば、ウイング用剥離材１２のめくれが防止されるため、きっちりとウイング用剥離材１２を間に介して間接的に接合できるようになる。
【００３８】
本ナプキン１では、ウイング状フラップＷ、Ｗ同士を相互に接着している前記ウイング仮止め粘着剤層１４の接着強度が前記ウイングズレ止め粘着剤層１０とウイング用剥離材１２との接着強度よりも低く設定されている。ここで、前記ウイング状フラップ同士を接合しているウイング仮止め粘着剤層１４の接着強度は０．０５〜１．００(N)、好ましくは０．０５〜０．６０(N)、前記ウイングズレ止め粘着剤層１０とウイング用剥離材１２との接着強度は０．１５〜１．５０(N)、好ましくは０．２５〜１．３０(N)とされ、ウイング仮止め粘着剤層１４の接着強度／ウイングズレ止め粘着剤層１０とウイング用剥離材１２との接着強度によって算出される接着強度比は０．０５〜０．８０、好ましくは０．０５〜０．７０とするのが望ましい。ウイング仮止め粘着剤層１４の接着強度が ０．０５(N)未満の場合はウイング状フラップＷ、Ｗを十分に仮着保持できない。また、１．００(N)を超える場合は剥離材１１，１２を剥離させる際に、ウイング状フラップＷ、Ｗを容易に展開できなくなる。前記ウイングズレ止め粘着剤層１０とウイング用剥離材１２の接着強度が０．１５(N)未満の場合はショーツへの装着時にズレが生じることがある。また、１．５０(N)を超える場合は剥離材１１，１２を剥離しづらくなる。
【００３９】
前記接着強度は、以下の試験方法によって得られた数値である。
【００４０】
ウイング仮止め粘着剤層１４の接着強度及びウイングズレ止め粘着剤層１０とウイング用剥離材１２の接着強度は、共にテンシロン引張試験機で測定する。
(1)試験条件
測定速度：300mm/min、チャック間距離：25mm、チャック幅：40mm
(2)ウイング仮止め粘着剤層の接着強度試験(剥離強度試験)
ナプキンの長手方向にあたる向きを縦方向、短手方向にあたる向きを横方向に取り、ウイング仮止め箇所が中央にあるようなウイング部サンプル(縦40mm×横60mm)を用いる。ウイング先端と他方ウイング横方向端部をチャックにかませ測定を開始し、完全に剥がれた時の荷重ピークを測定する。
(3)ウイングズレ止め粘着剤層とウイング用剥離材との接着強度(剥離強度試験)
ナプキンの長手方向にあたる向きを縦方向、短手方向にあたる向きを横方向に取り、ウイングフィルム及びウイング粘着材を含むようなウイング部サンプル(縦40mm×横50mm)を用いる。横方向ウイングフィルム端部と横方向ウイング端部をチャックにかませ、測定を開始し、完全に剥がれた時の荷重ピークを測定する。
【００４１】
一方、前記ウイング用剥離材１２の前側形状線Ａの位置がウイング状フラップＷの前側付け根位置よりも少なくとも５mm（符合ＳＬ）以上前側に離間していることが望ましい。なお、前記ウイング状フラップＷの付け根位置は、ショーツ装着時の折返し線Ｒを基準に決定する。
【００４２】
他方、前記本体用剥離材１１の幅寸法Ｂはウイング状フラップＷ、Ｗの折り位置間距離ＢＫの少なくとも６０％以上の寸法とし、前記ウイング用剥離材１２の長手寸法Ｌは、吸収性物品を展開させた状態でウイング状フラップＷ、Ｗの先端間距離ＬＫ以下の寸法とするのが望ましい。
【００４３】
また、前記本体用剥離材１１及びウイング用剥離材１２はズレ止め粘着剤９，１０に対する接合面にはシリコン系樹脂、フッ素系樹脂、又は四フッ化エチレン系樹脂などによる剥離処理が施され、前記ウイング用剥離材１２のズレ止め粘着剤９，１０に対する接合面側とは反対側の面に、接合強度の低減化処理を施しておくのが望ましい。この低減化処理としては、例えば前記剥離処理が反対側の面まで染み込んでいるフィルムを選択的に使用するか、別途シリコン系樹脂、フッ素系樹脂、又は四フッ化エチレン系樹脂を十分に希釈した上で塗布するなどの方法を採用することができる。
【００４４】
前記ウイング状フラップＷ、Ｗをウイング用剥離材１２と共に、表面側に夫々折り畳んだならば、個装シート１６により生理用ナプキン１を個装する。
【００４５】
個装方法は、図６に示されるように、幅寸法がナプキン１の展開幅（ウイング状フラップＷ、Ｗの先端間距離）よりも幅狭で、ウイング状フラップＷ、Ｗの折り畳み状態よりも幅広とされる所定長さの個装シート１６を用い、少なくとも個装シート１６の一方側短辺１６ｂがナプキン１の前後端部の一方より外側に位置させるように個装シート１６上にナプキン１を配置するとともに、前記個装シート１６を、本体用剥離材１１とウイング用剥離材１２とのいずれか一方若しくは両方とホットメルト接着剤等により堅固に固着する。
【００４６】
その後、折り線(1)位置にてナプキン後端部側を折り畳んだならば、折り線(2)位置にてナプキン前端部側を折り畳み、図７に示されるように、個装シート１６の開口した側縁部分１６ａをエンボス圧着、加熱融着、接着剤等、適宜の封鎖手段の単独または組み合わせによって封鎖するようにする。また、個装シート１６の前後方向端縁１６ｂは、接着剤により接合した後、好ましくはタブテープ１７により封止する。
【００４７】
かかる個装吸収性物品の場合は、図８に示されるように、個装袋からナプキン１を取り出し、個装シート１６を剥がすと、ウイング状フラップＷ、Ｗがウイング用剥離材１２によって裏面シート側に引っ張られ、腹折りされたウイング状フラップＷ、Ｗが自動的に展開されるようになる。この際、前記ウイング状フラップＷ、Ｗ同士を相互に接合しているウイング仮止め粘着剤層１４の接着強度が前記ウイングズレ止め粘着剤層１０、１０とウイング用剥離材１２との接着強度よりも低く設定されていることにより、ウイング状フラップＷ、Ｗ同士の仮着が容易に解除されるようになる。また、前記ウイング用剥離材１２の前側形状線Ａの位置をウイング状フラップＷの前側付け根位置よりも少なくとも５mm以上前側に離間させているため、本体用剥離材１１をナプキン１の前側から剥離させると、ウイング状フラップＷ部位では、ウイング状フラップＷの折り癖がナプキン１の前側から徐々に解除され、ウイング状フラップＷが展開されるようになるため、ウイング用剥離材１２に作用する抵抗力が小さくなり、スムーズな展開が可能となる。更に、ウイング用剥離材１２は、ウイングズレ止め粘着剤１０から剥離されるときは、ウイング状フラップＷが徐々に展開しかけた状態となっているため、ウイングズレ止め粘着剤１０からめくれるように容易に剥離させることができる。
【００４８】
また、前記ウイング状フラップＷ、Ｗを展開させた後の状態で、ウイング状フラップＷ、Ｗには使用面側へある程度の折り癖が付いているため、ウイング状フラップＷ、Ｗが本体裏面に形成されたズレ止め粘着剤層９，９…に接着することも無くなる。個装シート１６を剥がすと、ウイング用剥離材１２と共に本体用剥離材１１が剥離されるため、完全なワンステップ開封方式が実現可能となる。
【００４９】
ところで、本発明は上記形態例以外に種々の変更が可能である。以下、順に列挙すると、
(1)上記形態例では、本体用剥離材１１とウイング用剥離材１２とを別体とし、両者を剥離不能に堅固に固着するようにしたが、１枚の剥離材によって、本体ズレ止め用粘着剤９，９…とウイングズレ止め用粘着剤１０，１０とを覆うようにしてもよい。
(2)上記形態例では、ウイング用剥離材１２として矩形のシートを用いたが、図９に示されるように、ナプキン形状に合わせてカットし、ウイング用剥離材１２がナプキン１の外形線よりも外側に延在しないようにしてもよい。
(3)上記形態例では、ウイング状フラップＷ、Ｗ同士の接合部において、ウイング仮止め粘着剤層１４は、前後端部の内、一端側のみウイング同士が直接的に接合されているが（Ａ１領域）、図１０に示されるように、前後端の両端でウイングＷ、Ｗ同士を直接的に接合するようにしてもよい。
(4)上記例では、ウイング状フラップＷ、Ｗを表面シート３側に折り畳む際、側部外周フラップＦＳを含んで折り畳むようにしたが、図１１に示されるように、ウイング状フラップＷ、Ｗ部分のみを表面シート３側に折り畳むようにしてもよい。
(5)上記形態例では、ウイング状フラップＷ、Ｗは、吸収体４側縁の外側近傍位置を折れ線として、側部外周フラップＦＳとともに、透液性表面シート３側に折り畳むようにしたが、吸収体側縁の内側位置を折れ線として、側部外周フラップＦＳ及び吸収体４の側縁部分とともに、透液性表面シート３側に折り畳むようにしてもよい。この場合には、更なるコンパクト化が図れるようになる。
(6)上記例ではウイング状フラップＷ、Ｗが形成された生理用ナプキン１を例に採り詳述したが、本発明は後部側にヒップホールド用のウイング状フラップが形成された夜用生理用ナプキンに対しても同様に適用することが可能である。
(7)上記例では、サイド不織布６と不透液性裏面シート２とによりウイング状フラップＷ、Ｗを形成するようにしたが、サイド不織布６単独でウイング状フラップＷを形成してもよいし、不透液性裏面シート２単独でウイング状フラップＷを形成してもよい。
【符号の説明】
【００５０】
１…生理用ナプキン、２…不透液性裏面シート、３…透液性表面シート、４…吸収体、５…クレープ紙、６…サイド不織布、９…本体ズレ止め粘着剤層、１０…ウイングズレ止め粘着剤層、１１…本体用剥離材、１２…ウイング用剥離材、１４…ウイング仮止め粘着剤層、１５…めくれ防止用粘着剤、１６…個装シート、１７…タブテープ、１８…剥離材、Ｗ…ウイング状フラップ、ＦＳ…側部外周フラップ
【図１】
0005503225.tif 000002
【図２】
0005503225.tif 000003
【図３】
0005503225.tif 000004
【図４】
0005503225.tif 000005
【図５】
0005503225.tif 000006
【図６】
0005503225.tif 000007
【図７】
0005503225.tif 000008
【図８】
0005503225.tif 000009
【図９】
0005503225.tif 000010
【図１０】
0005503225.tif 000011
【図１１】
0005503225.tif 000012
【図１２】
0005503225.tif 000013